(57)【要約】【課題】冷気防止板の取付けを簡素化することができる冷蔵庫を提供する。【解決手段】冷蔵庫１では、冷気防止板５０が、野菜室７の天井面ＣＬと野菜室７の背面ＢＫに配置されていることで冷気により野菜室７の容器７Ｆ、７Ｇ内を間接的に冷却するために、冷気防止板５０は、野菜室７の天井面ＣＬに配置される第１カバー部材（第１クリスパカバー部材）５１と、第１カバー部材５１とは別部材であり第１カバー部材５１に対して予め連結されており野菜室７の背面ＢＫに配置される第２カバー部材（第２クリスパカバー部材）５２により構成されている。【選択図】図５
2014074552.tif 000002
【特許請求の範囲】
【請求項１】
野菜室の前面開口部を開閉する扉とともに容器を前記野菜室から引出し可能になっており、前記容器内に冷気が侵入するのを防止する冷気防止板が、前記野菜室の天井面と前記野菜室の背面に配置されていることで前記冷気により前記野菜室の前記容器内を間接的に冷却する冷蔵庫であって、
前記冷気防止板は、前記野菜室の前記天井面に配置される第１カバー部材と、前記第１カバー部材とは別部材であり前記第１カバー部材に対して予め連結されており前記野菜室の前記背面に配置される第２カバー部材と、により構成されていることを特徴とする冷蔵庫。
【請求項２】
前記第１カバー部材と前記第２カバー部材の連結部分の間には、シール材が配置されていることを特徴とする請求項１に記載の冷蔵庫。
【請求項３】
前記第１カバー部材は連結突起部を有し、前記第２カバー部材は、前記第１カバー部材の前記連結突起部を差し込むことで前記第１カバー部材と前記第２カバー部材を予め連結するための差し込み穴部を有することを特徴とする請求項１または２に記載の冷蔵庫。
【請求項４】
前記第１カバー部材は、前記第１カバー部材の前端部に配置されて前記野菜室の前記天井面に密着されるシール材を有し、前記第１カバー部材の左右の端部には、前記第１カバー部材の前記左右の端部と前記野菜室の側面部との間を塞ぐパッキン材と、を有していることを特徴とする請求項３に記載の冷蔵庫。
【請求項５】
前記野菜室の前記背面には送風機を覆う送風機カバーが配置され、前記第２カバー部材の下端部には、前記送風機カバーに取り付ける爪部が設けられ、前記第１カバー部材の前端部には、前記野菜室の前記天井面にはめ込んで固定するための固定部材が設けられていることを特徴とする請求項１ないし４のいずれか１項に記載の冷蔵庫。
【請求項６】
前記第２カバー部材の色は、前記野菜室の前記背面に配置された前記送風機カバーの色に合わせていることを特徴とする請求項５に記載の冷蔵庫。
【発明の詳細な説明】
【技術分野】
【０００１】
本発明の実施の形態は、冷蔵庫に関する。
【背景技術】
【０００２】
冷蔵庫には、冷蔵室と野菜室のようなほぼ同等の温度帯に冷却する貯蔵室を上下に並べて配置したものがある。この場合、冷却器により冷却された冷気は、上側の冷蔵室を通過した後、下側の野菜室に供給されるのが一般的である。
【０００３】
通常、野菜室をほぼ密閉して野菜の保存性能を良くするために、すなわち野菜の鮮度を保持するために、野菜室内の湿度を高く保ち、しかも野菜室の容器内に直接冷気が入り込まないようにしている。野菜室内には、扉と共に引き出される容器が配置されている。野菜室の容器内の野菜に直接冷気が入り込まないようにするために、野菜室の天井面と背面には冷気防止板であるクリスパカバーが取り付けられている。冷気は、クリスパカバーに沿って流れて、容器内の野菜には冷気が直接入らずに、容器の周囲を冷気が流れることで野菜を間接的に冷却する(特許文献１を参照)。
【先行技術文献】
【特許文献】
【０００４】
【特許文献１】特開２００１−９１１３４号
【発明の概要】
【発明が解決しようとする課題】
【０００５】
上述したクリスパカバーは、野菜室の上部を覆う上部クリスパカバーと、野菜室の背面を覆う後部クリスパカバーの２部品から構成されており、上部クリスパカバーと後部クリスパカバーは、別々に順次野菜室内に取り付けるようになっている。まず、組立作業者は、後部クリスパカバーを野菜室内の背面のファンカバーに仮固定してネジで固定した後、上部クリスパカバーを野菜室の天井面に取り付ける。
【０００６】
このように、組立作業者は、上部クリスパカバーと後部クリスパカバーを野菜室に対して別々に順次取り付ける必要があるので、冷蔵庫の組み立ての際に冷気防止板を野菜室に取り付ける作業が複雑であり手間がかかるので、作業時間がかかってしまう。
【０００７】
本発明は、上記に鑑みてなされたもので、その目的とするところは、冷気防止板の取付けを簡素化することができる冷蔵庫を提供することにある。
【課題を解決するための手段】
【０００８】
本発明の実施の形態の冷蔵庫は、野菜室の前面開口部を開閉する扉とともに容器を野菜室から引出し可能になっており、容器内に冷気が侵入するのを防止する冷気防止板が、野菜室の天井面と野菜室の背面に配置されていることで冷気により野菜室の容器内を間接的に冷却する冷蔵庫であって、冷気防止板は、野菜室の天井面に配置される第１カバー部材と、第１カバー部材とは別部材であり第１カバー部材に対して予め連結されており野菜室の背面に配置される第２カバー部材と、により構成されている。
【図面の簡単な説明】
【０００９】
【図１】本発明の実施形態に係わる冷蔵庫の全体を示す斜視図である。
【図２】図１に示す冷蔵庫の本体の内部構造例を示す縦方向の断面図である。
【図３】図２に示す冷蔵用送風機およびその付近を覆っている送風機カバー（ファンカバー）の形状例を示す斜視図である。
【図４】図２に示す冷気防止板の構造例を斜め後ろから見た斜視図である。
【図５】図５の冷気防止板の分解斜視図である。
【図６】冷気防止板の第１クリスパカバー部材を斜め後ろから見た斜視図である。
【図７】冷気防止板が、野菜室の天井面と背面（後部）に取り付けを完了した状態を示す断面図である。
【図８】図７に示す冷気防止板の第１クリスパカバー部材と第２クリスパカバー部材の連結部分を拡大して示す断面図である。
【図９】図９（Ａ）は、図７のＡ−Ａ線におけるファスナーの連結構造を示す断面図である。図９（Ｂ）は、図７のＡ−Ａ線における爪部の連結構造を示す断面図である。
【図１０】図１０（Ａ）は、図６のＢ−Ｂ線における構造を示す断面図である。図１０（Ｂ）は、図６のＣ−Ｃ線における構造を示す断面図である。
【図１１】図１１（Ａ）は、冷気防止板の第１クリスパカバー部材と第２クリスパカバー部材の連結部分を示す断面図である。図１１（Ｂ）は、図１１（Ａ）のＤ−Ｄ線における連結部分の断面図である。
【図１２】冷気防止板を、野菜室７の天井面と背面（後部）に対して取り付ける前の状態を示す断面図である。
【図１３】冷気防止板の第２クリスパカバー部材を、野菜室の背面（後部）に対して、先に取り付けようとする途中の状態を示す断面図である。
【図１４】冷気防止板の第２クリスパカバー部材を、野菜室の背面（後部）に対して、取り付けた後、冷気防止板の第１クリスパカバー部材を、野菜室の天井面に対して、取り付けようとする途中の状態を示す断面図である。
【発明を実施するための形態】
【００１０】
以下、図面を用いて、本発明の実施するための形態（以下、実施形態と称する）を説明する。
【００１１】
図１は、本発明の実施形態に係わる冷蔵庫１の全体を示す斜視図である。
【００１２】
図１に示す冷蔵庫１は、本体２を有している。この本体２の最上部の位置には、両開き式の左右の観音扉（回転扉）３，４で開閉される冷蔵室５を設けられている。これらの観音扉３，４は、それぞれ本体２の回転軸３Ａ，４Ａを中心にして開閉可能に取り付けられている。
【００１３】
冷蔵室５の下側には、引出し式扉７ａで開閉される野菜室７が設けられている。この野菜室７の下側には、製氷室８と上部冷凍室９が横方向に並んで設けられている。製氷室８は引出し式扉８ａで開閉され、上部冷凍室９は引出し式扉９ａで開閉される。
【００１４】
本体２の最下部であって、これらの製氷室８と上部冷凍室９の下側には、主冷凍室１０が設けられている。主冷凍室１０は引出し式扉１０ａで開閉される。観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１５】
図２は、図１に示す冷蔵庫１の本体２の内部構造例を示す縦方向の断面図である。
【００１６】
図２に示すように、冷蔵庫１の本体２は、鋼板製の外箱２ａと、真空形成により設けられる合成樹脂製の内箱２ｂと、外箱２ａと内箱２ｂの間隙に発泡充填されたウレタンフォームなどの断熱材２ｃとを有している。この本体２は、前面開口部２Ｐを有しており、本体２の内部は縦長の貯蔵空間に形成されている。この貯蔵空間は、上方の冷蔵貯蔵空間ＰＳと、下方の冷凍貯蔵空間ＲＳに断熱区画されている。
【００１７】
野菜室７には、引出し式の大型の下部ケース７Ｆと、下部ケース７Ｆ内に配置された小型の上部ケース７Ｇを備えている。引出し式扉７ａは、野菜室７の前面開口部を塞ぐ扉である。引出し式の下部ケース７Ｆと上部ケース７Ｇは、引出し式扉７ａに支持されており、引出し式扉７ａとともに、野菜室７内に収容された状態から野菜室７内からＹ方向に引き出すことができるようになっている。
【００１８】
図２に示す内箱２ｂで形成されている冷蔵貯蔵空間ＰＳには、冷蔵室５と野菜室７が、隣接した状態で上下に区分して配置されている。冷蔵室５と野菜室７は、ほぼ同等の温度帯に冷却する冷蔵区画である。冷蔵室５の底部には、天井面ＣＬが冷蔵庫１の前側から後側に向けて、Ｙ方向に固定されている。そして、この天井面ＣＬの下部には、冷気防止板５０が天井面ＣＬに対して隙間２９を設けるようにして、Ｙ方向に固定されている。野菜室７の収納空間は、天井面ＣＬと、背面ＢＫと、左右の側面部ＳＤと、底部ＢＦにより構成されている直方体状の空間である。
【００１９】
図２に示すこの冷気防止板５０は、いわゆるクリスパカバーである。この冷気防止板５０は、第１カバー部材である第１クリスパカバー部材５１と、第２カバー部材である第２クリスパカバー部材５２とにより構成されている。冷気防止板５０は、冷蔵室５の収容空間から矢印Ｆに沿って降りてくる冷気を、野菜室７内の下部ケース７Ｆと上部ケース７Ｇ内に侵入させないようにするためのほぼ断面Ｌ字型の部材である。野菜室７内は多湿保持をするが、冷蔵室５は乾燥している。
【００２０】
第１クリスパカバー部材５１は、野菜室７の上部の天井面ＣＬを覆う上部クリスパカバーであり、第２クリスパカバー部材５２は、野菜室７の背面ＢＫを覆う後部クリスパカバーである。第１クリスパカバー部材５１は、下部ケース７Ｆと上部ケース７Ｇの上部に位置する天井面ＣＬ側に配置されている。組立作業者が冷気防止板５０を野菜室７内に入れて取り付ける前に、第２クリスパカバー部材５２は、第１クリスパカバー部材５１に対して予め連結されており、第２クリスパカバー部材５２は、下部ケース７Ｆと上部ケース７Ｇの背面ＢＫ側に配置されている。
【００２１】
図２に示すように、野菜室７の下方には、断熱壁を介して、製氷室８が配置され、この製氷室８の下方には、主冷凍室１０が配置されている。製氷室８には、自動製氷装置８ｄと貯氷箱８ｅが設けられている。主冷凍室１０には、下部ケース１０ｃと、上部ケース１０ｄを備えている。製氷室８と主冷凍室１０は、−１８℃〜−２０℃に冷却する冷凍貯蔵空間ＲＳである。
【００２２】
冷蔵室５と野菜室７を含む冷蔵貯蔵空間ＰＳの背面には、冷蔵用冷却器１１と冷蔵用送風機１５が配設されている。これらの冷蔵用冷却器１１と冷蔵用送風機１５は、冷気ダクト１２と冷却カバー１３と送風機カバー１４によって、冷蔵室５と野菜室７から区画されている。
【００２３】
図２に示すように、冷蔵貯蔵空間ＰＳの下方には、冷凍貯蔵空間ＲＳが設けられている。この冷凍貯蔵空間ＲＳの冷凍用冷却器１６の下方には、冷凍用冷却器１６を輻射熱で加熱して除霜する除霜ヒータ１７、および融解した除霜水を受けて外部の蒸発皿１８に導く排水樋（図示せず）が設けられている。冷凍用送風機２２が、冷凍用冷却器１６の上部に配置されている。
【００２４】
本体２の背面の下部の外側には、機械室１９が形成されている。機械室１９には、冷凍サイクルの一環をなす圧縮機２０や、凝縮器、放熱ファン、除霜水を蒸発させる蒸発皿１８が配設されている。機械室１９の上部には、冷蔵庫１の運転を制御する制御装置２１が設置されている。この制御装置２１には、冷蔵室５、野菜室７、主冷凍室１０の各室内に設けた温度センサー２３、２４、２５からの検出信号と、冷蔵室５や主冷凍室１０の扉開閉を検出する各検出スイッチからの検出信号が入力される。また、制御装置２１には、冷蔵室５の扉前面に設置した操作パネルを使用者が操作すると、その使用者の操作による冷却モードの切換えなどの信号が入力される。制御装置２１は、事前に備えた制御プログラムに基づき、圧縮機２０の制御、冷凍サイクルの冷媒切換え、冷蔵用送風機１５の制御、冷凍用送風機２２の制御、操作パネルの表示を行う。
【００２５】
次に、冷蔵庫１を運転している時の冷気の流れについて説明する。
【００２６】
図２に示す圧縮機２０を駆動すると、制御装置２１に基づいて冷凍サイクルにより、冷媒が冷蔵用冷却器１１や冷凍用冷却器１６に供給されるので、冷蔵用冷却器１１や冷凍用冷却器１６は、それぞれ冷媒を所定温度に冷却する。
【００２７】
冷蔵用冷却器１１で冷却された冷気は、矢印Ｆで示すように、冷蔵用送風機１５によって冷気ダクト１２に送られ、冷気ダクト１２に適当な間隔をおいて設けられた複数の冷気吹き出し口１２ａから冷蔵室５内に噴出して、冷蔵室５内を所定の設定温度、例えば、約３℃に冷却する。
【００２８】
冷蔵室５内を循環した冷気は、矢印Ｆで示すように、冷蔵室５の下方に向かい、冷気防止板５０の直上に対応する天井面ＣＬに至る。天井面ＣＬは、内箱２ｂの側面部ＳＤに対して気密に取り付けられている。このため、冷蔵室５内を循環した冷気は、天井面ＣＬに沿って後方に流れて、天井面ＣＬの後部に開口した冷気の流入口２８から、冷気防止板５０の第２クリスパカバー部材５２と冷却器カバー１３との間隙２９Ｂに流入する。これにより、この間隙２９Ｂに導かれた冷気は、野菜室７の下部ケース７Ｆと上部ケース７Ｇ内の野菜には直接侵入しないで、下部ケース７Ｆと上部ケース７Ｇ内の野菜を間接的に冷却して冷蔵用送風機１５から冷蔵用冷却器１１に戻される。
【００２９】
これにより、冷気は野菜室７の下部ケース７Ｆと上部ケース７Ｇ内の野菜には直接流入せず、野菜室７の下部ケース７Ｆと上部ケース７Ｇ内の野菜は、冷気防止板５０の第１クリスパカバー部材５１の上部の隙間２９および冷気防止板５０の第２クリスパカバー部材５２の背面を流れる冷気により間接的に冷却される。しかも冷気は、高湿度を保ちながら冷蔵室５の温度よりはやや高い７℃程度で、下部ケース７Ｆと上部ケース７Ｇ内の野菜を冷却することができる。例えば、野菜室７内を冷気で間接的に冷却する際に、冷蔵側冷却器１１の着霜状態で冷蔵側冷却器１１の除霜を行うことで、湿度約１００％のうるおい冷気を野菜室７に送り込むことができ、野菜室７内の湿度を約９５パーセント以上に維持できる構造になっている。
【００３０】
一方、図２に示す冷凍貯蔵空間ＲＳの冷却については、図１に示す製氷室８と上部冷凍室９と主冷凍室１０の後部である本体２の背面に、冷気を循環するための冷気ダクト２７が配置されている。冷凍用冷却器１６によって冷却された冷気は、冷凍用送風機２２により、矢印Ｇで示すように、冷気ダクト２７に沿って製氷室８と上部冷凍室９と主冷凍室１０に向かって送風する。その後製氷室８と上部冷凍室９と主冷凍室１０を冷却した冷気は、矢印Ｇで示すように、主冷凍室１０の下方に向かい、冷気ダクト２７の下方に設けられた吸い込み口３０に吸い込まれて、冷凍用冷却器１６によって再び冷却されるとともに、冷凍用送風機２２によって冷気の循環を繰り返す。
【００３１】
図３は、図２に示す冷蔵用送風機１５およびその付近を覆っている送風機カバー（ファンカバー）１４の形状例を示す斜視図である。図３に示す送風機カバー１４は、上部冷気取入れ口１０１と、下部冷気取入れ口１０２と、リブ１０３を有している。このリブ１０３は、Ｘ方向に沿って形成されている。リブ１０３は複数の穴部１０４を有している。リブ１０３の穴部１０４には、後で説明するが、図２に示す冷気防止板５０の第２クリスパカバー部材５２の差し込み用の爪部が、上から差し込まれることで、第２クリスパカバー部材５２の位置を保持することができる。
【００３２】
図４は、図２に示す冷気防止板５０の構造例を斜め後ろから見た斜視図である。図５は、図５の冷気防止板５０の分解斜視図である。図６は、冷気防止板５０の第１クリスパカバー部材５１を斜め後ろから見た斜視図である。
【００３３】
図４に示すように、冷気防止板５０は、第１クリスパカバー部材５１と第２クリスパカバー部材５２とを、図２に示す野菜室７内に取り付ける前に予め連結することで一体物として使用される。第１クリスパカバー部材５１と第２クリスパカバー部材５２は、プラスチック製の長方形の板材である。第１クリスパカバー部材５１のサイズは、第２クリスパカバー部材５２のサイズに比べて大きい。第１クリスパカバー部材５１と第２クリスパカバー部材５２のＸ方向の幅寸法は、図２に示す野菜室７の前面開口部に入る大きさであり、第１クリスパカバー部材５１のＹ方向の奥行寸法は、野菜室７の奥行寸法よりもやや小さい。
【００３４】
このように、冷気防止板５０を、第１クリスパカバー部材５１と第２クリスパカバー部材５２に分けて２部品としているのは、次の理由からである。すなわち、第１クリスパカバー部材５１と第２クリスパカバー部材５２はそれぞれ比較的面積の大きい部品であり、しかも冷気防止板５０は断面Ｌ字型を有しているので、一体物の冷気防止板５０をプラスチック成形するためには、成形用の金型が大型化し、金型の構造が複雑になり金型製作費用が高価である。
【００３５】
そこで、金型製作費用を抑制するために、冷気防止板５０を、第１クリスパカバー部材５１と第２クリスパカバー部材５２に分けて２部品として別々に成形し、そして冷気防止板５０は、第１クリスパカバー部材５１と第２クリスパカバー部材５２とを、図２に示す野菜室７内に取り付ける前に予め連結することで一体物として構成するようにしている。
【００３６】
図７は、冷気防止板５０が、図２に示すように、野菜室７に取り付けられた状態を示す断面図である。図８は、図７に示す冷気防止板５０の第１クリスパカバー部材５１と第２クリスパカバー部材５２の連結部分６０を拡大して示す断面図である。
【００３７】
図２に示すように、第１クリスパカバー部材５１は、野菜室７の下部ケース７Ｆと上部ケース７Ｇの上部を覆うことで、冷気を野菜室７の下部ケース７Ｆと上部ケース７Ｇ内の野菜に侵入させないように導く役割を有する。第２クリスパカバー部材５２は、野菜室７の下部ケース７Ｆと上部ケース７Ｇの背面ＢＫを覆うことで、冷気を野菜室７の下部ケース７Ｆと上部ケース７Ｇ内の野菜に侵入させないように冷蔵用送風機１５側に導く役割を有する。
【００３８】
まず、図４から図６を参照して、第１クリスパカバー部材５１の構造を説明する。
【００３９】
図５と図６に示すように、第１クリスパカバー部材５１は、前端部５１Ａと後端部５１Ｂと、右側の側端部５１Ｃと左側の側端部５１Ｄを有している。前端部５１Ａと後端部５１ＢはＸ方向に沿って平行であり、右側の側端部５１Ｃと左側の側端部５１ＤはＹ方向に沿って平行である。
【００４０】
図６に示すように、第１クリスパカバー部材５１の上面側には、前端部５１Ａに沿って、２つのファスナー５３と、２つの爪部５４が設けられている。２つのファスナー５３と２つの爪部５４は、第１クリスパカバー部材５１を、図７に示す野菜室７の天井面ＣＬに対して押し込むことで、ワンタッチではめ込んで固定するための固定部材である。図９（Ａ）は、図７のＡ−Ａ線におけるファスナー５３の連結構造を示す断面図である。２つのファスナー５３は、図９（Ａ）に示すように、Ｚ１方向（上方向）に突出した先細りの部材である。
【００４１】
図９（Ｂ）は、図７のＡ−Ａ線における爪部５４の連結構造を示す断面図である。図１０（Ａ）は、図６のＢ−Ｂ線における構造を示す断面図である。図１０（Ｂ）は、図６のＣ−Ｃ線における構造を示す断面図である。図１１（Ａ）は、冷気防止板５０の第１クリスパカバー部材５１と第２クリスパカバー部材５２の連結部分６０を示す断面図である。図１１（Ｂ）は、図１１（Ａ）のＤ−Ｄ線における連結部分６０の断面図である。
【００４２】
図９（Ｂ）と図１０（Ａ）と図１０（Ｂ）に示すように、２つの爪部５４は、Ｚ１方向（上方向）に突出した部材であり、引っ掛けて係止するための係止部分５４Ａを有している。２つの爪部５４は、図６に示すように前端部５１Ａの左右端部にそれぞれ配置され、２つのファスナー５３は、２つの爪部５４の間で、同じ間隔をおいて配置されている。２つの爪部５４のそれぞれ外側には、コーナーシール材５１Ｓが配置されている。コーナーシール材５１Ｓは、図１０（Ａ）に示している。ここで、Ｘ、Ｙ、Ｚ１（Ｚ２）方向は、互いに直交している。
【００４３】
図５と図６に示すように、第１クリスパカバー部材５１の後端部５１Ｂには、３つの連結突起部５５が互いに同じ間隔をおいてＺ２方向（下方向）に突出するように設けられている。各連結突起部５５は、図１１（Ｂ）に示すように左右のの係止部分５５Ａを有している。
【００４４】
図５と図６に示すように、第１クリスパカバー部材５１の上面側には、前端部５１Ａに沿って、帯状のシール材６１が例えば粘着剤を用いて貼り付けることにより固定されている。シール材６１は、図７に示す野菜室７の天井面ＣＬに当たって弾性変形することで、第１クリスパカバー部材５１の前端部５１Ａと野菜室７の天井面ＣＬとの間の気密性を確保する役割を有する。このシール材６１は、図１０（Ａ）にも示している。
【００４５】
また、図６に示すように第１クリスパカバー部材５１の後端部５１Ｂの後端面には、別の帯状のシール材６２が例えば粘着剤により貼り付けることにより固定されている。このシール材６２は、例えばスポンジやゴム等により作られている。シール材６２は、図１１（Ａ）に示すように、冷気防止板５０の連結部分６０において、第１クリスパカバー部材５１の後端部５１Ｂと第２クリスパカバー部材５２の上端部５２Ｂの間に配置されることで、第１クリスパカバー部材５１の後端部５１Ｂと第２クリスパカバー部材５２の上端部５２Ｂの間における気密性を確保する役割を有する。しかも、このシール材６２が冷気防止板５０の連結部分６０に介在されているので、図７に示すように冷気防止板５０を野菜室７内に取り付ける際に、組立作業者は冷気防止板５０の連結部分６０を柔軟に曲げることができるようになっている。
【００４６】
図５と図１０（Ｂ）に示すように、第１クリスパカバー部材５１の右側の側端部５１Ｃと左側の側端部５１Ｄには、パッキン６３がはめ込むことでそれぞれ取り付けられている。図１０（Ｂ）に示すように、パッキン６３は、図２に示す野菜室７の側面部ＳＤに対して気密性を良好にするために、複数の接触部材６４が側方に突出して形成されている。これらの接触部材６４は、柔らかく変形しやすい薄板の部材であり、野菜室７の側面部ＳＤに密着しながら弾性変形することにより、右側の側端部５１Ｃと野菜室７の側面部ＳＤとの間の気密性と、左側の側端部５１Ｄと野菜室７の側面部ＳＤとの間の気密性を、十分に確保する役割を有する。
【００４７】
図５に示すように、第２クリスパカバー部材５２は、上端部５２Ａには３つの差し込み穴部６６を有し、下端部５２Ｂには３つの差し込み用の爪部６７を有する。第１クリスパカバー部材５１の後端部５１Ｂと第２クリスパカバー部材５２の上端部５２Ａとを連結する際には、各差し込み穴部６６には、第１クリスパカバー部材５１の後端部５１Ｂの連結突起部５５がそれぞれ差し込まれる。
【００４８】
また、図７に示すように冷気防止板５を野菜室７内に取り付ける際には、各差し込み用の爪部６７は、図７に示すように、リブ１０３の穴部１０４に差し込むことで保持することができる。しかも、図５に示すように、下端部５２Ｂには２つの位置決め用凹部６８が設けられている。これらの位置決め用凹部６８は、図３に示す送風機カバー１４の左右の凸部１４Ｒにそれぞれかみ合うことで、第２クリスパカバー部材５２の図３におけるＸ、Ｙ、Ｚ１（Ｚ２）方向に関する位置決めを行うことができる。
【００４９】
次に、上述した構造を有する冷気防止板５０を、図７に示すように野菜室７内に取り付ける作業手順を、図１２から図１４と、図７を参照して説明する。
【００５０】
図１２は、冷気防止板５０を、野菜室７の天井面ＣＬと背面（後部）ＢＫに対して取り付ける前の状態を示す断面図である。図１３は、冷気防止板５０の第２クリスパカバー部材５２を、野菜室７の背面（後部）ＢＫに対して、先に取り付けようとする状態を示す断面図である。図１４は、冷気防止板５０の第２クリスパカバー部材５２を、野菜室７の背面（後部）ＢＫに対して取り付けた後、次に冷気防止板５０の第１クリスパカバー部材５１を、野菜室７の天井面ＣＬに対して、取り付けようとする途中の状態を示す断面図である。そして、図７は、冷気防止板５０の第１クリスパカバー部材５１を、野菜室７の天井面ＣＬに対して取り付けて、冷気防止板５０の取付けを完了した状態を示す断面図である。
【００５１】
まず、図６を参照すると、第１クリスパカバー部材５１には、予めシール材６１，６２と、パッキン６３と、コーナーシール材５１Ｓが所定の位置に固定されている。図６に示す第１クリスパカバー部材５１の３つの連結突起部５５が、図５に示す第２クリスパカバー部材５２の３つの差し込み穴部６６にそれぞれ差し込まれることで、組立作業者が冷気防止板５０を野菜室７内に取り付ける前に、図４に示すように、第１クリスパカバー部材５１と第２クリスパカバー部材５２を予め連結することで冷気防止板５０を準備することができる。
【００５２】
このため、通常の組み立て作業では、第１クリスパカバー部材と第２クリスパカバー部材が別個になっているので、組立作業者は、野菜室７内において、まず第１クリスパカバー部材を手で持って野菜室の天井面に取り付けて、さらに第２クリスパカバー部材を手で持って野菜室の背面に取り付けるといった、２つの面倒な作業を行う必要がある。しかし、本発明の実施形態における冷気防止板５０を用いることでこのような面倒な作業が不要になる。
【００５３】
第１クリスパカバー部材５１と第２クリスパカバー部材５２が既に連結された状態では、図１１（Ｂ）に示すように、連結突起部５５の係止部分５５Ａが、第２クリスパカバー部材５２の上端部５２Ａの突出部５２Ｄに抜け止めされる。これにより、第１クリスパカバー部材５１と第２クリスパカバー部材５２は外れないようにワンタッチで簡単に連結することができる。連結突起部５５の係止部分５５Ａが、第２クリスパカバー部材５２の上端部５２Ａから抜けることが無く、第１クリスパカバー部材５１と第２クリスパカバー部材５２の連結状態を確実に維持することができる。
【００５４】
しかも、図１１（Ａ）に示すように、第１クリスパカバー部材５１の後端部５１Ｂと、第２クリスパカバー部材５２の上端部５２Ａとの間には、シール材６２が介在されている。これにより、シール材６２は、第１クリスパカバー部材５１の後端部５１Ｂと、第２クリスパカバー部材５２の上端部５２Ａとの間の気密性を確保することができる。
【００５５】
このようにして、組立作業者は、冷気防止板５０は、第１クリスパカバー部材５１と第２クリスパカバー部材５２を、野菜室７内に取り付ける前に予め連結して、一体化された部品にしておく。組立作業者は、図１２に示すように、この冷気防止板５０を、野菜室７内へＹ方向に沿って入れる。この場合に、冷気防止板５０の第１クリスパカバー部材５１を野菜室７の天井面ＣＬに対面するように、しかも冷気防止板５０の第２クリスパカバー部材５２を背面ＢＫに対面するように、冷気防止板５０を、野菜室７内へＹ方向に沿って入れる。
【００５６】
次に、図１２から図１３に示すように、第２クリスパカバー部材５２の下端部５２Ｂの差し込み用の爪部６７を、送風機カバー１４のリブ１０３の穴部１０４に対して下方向に差し込む。これにより、図１３に示すように、第２クリスパカバー部材５２の下端部５２Ｂを、送風機カバー１４のリブ１０３に支持させることができる。この時、図４に示す下端部５２Ｂの２つの位置決め用凹部６８は、図３に示す送風機カバー１４の左右の凸部１４Ｒにそれぞれかみ合うことで、第２クリスパカバー部材５２の図３におけるＸ、Ｙ、Ｚ方向に関する位置決めを行うことができる。
【００５７】
次に、図１３から図１４に示すように、組立作業者は、冷気防止板５０をＴ方向（斜め上方で、野菜室７の奥方向）に押し込むことで、第１クリスパカバー部材５１と第２クリスパカバー部材５２の連結部分６０を押し曲げて、第１クリスパカバー部材５１の後端部５１Ｂを背面ＢＫ側に押し入れる。このように連結部分６０を押し曲げることができるのは、第１カバー部材５１と第２カバー部材５２の連結部分６０が、連結突起部５５を差し込み穴部６６に差し込むだけで、遊びを持たせた連結状態にしてあり、しかもシール材６２を介在させているからである。このシール材６２が連結部分６０の弾性変形を吸収する。
【００５８】
そして、図１４に示すように、組立作業者は、第１クリスパカバー部材５１の前端部５１ＡをＲＳ方向に持ち上げて、第１クリスパカバー部材５１の前端部５１Ａを天井面ＣＬに押し付ける。これにより、図７に示すように第１クリスパカバー部材５１は、２つのファスナー５３と２つの爪部５４を用いて、野菜室７の天井面ＣＬに対してワンタッチで簡単に固定することができる。
【００５９】
具体的な第１クリスパカバー部材５１の前端部５１Ａの固定構造は、図９に示している。図９（Ａ）は、第１クリスパカバー部材５１の前端部５１Ａが、ファスナー５３を用いて、野菜室７の天井面ＣＬに対して固定されている状態を示している。図９（Ｂ）は、第１クリスパカバー部材５１の前端部５１Ａが、爪部５４を用いて、野菜室７の天井面ＣＬに対して固定されている状態を示している。
【００６０】
図９（Ａ）に示すように、野菜室７の天井面ＣＬには、筒状の受け部７０がＺ１方向（上方向）に向けて設けられている。オス部材であるファスナー５３はこのメス部材である受け部７０に対してＺ１方向に単純に押し込むことで、第１クリスパカバー部材５１の前端部５１Ａが、ファスナー５３を用いて、野菜室７の天井面ＣＬに対して固定できる。これにより、第１クリスパカバー部材５１の前端部５１Ａは、Ｚ２方向（下方向）に抜けないようにして位置決めして固定されている。
【００６１】
しかも、図９（Ｂ）に示すように、野菜室７の天井面ＣＬには、抜け止め部材７１がＺ１方向に向けて設けられている。第１クリスパカバー部材５１の前端部５１Ａの爪部５４がＺ１方向に押し込まれると、爪部５４の係止部分５４Ａが抜け止め部材７１に引っ掛かることから、爪部５４がＺ２方向へ抜けなくなる。これにより、たとえ図９（Ａ）に示す第１クリスパカバー部材５１にＺ２方向（下方向）に強い力が掛かったとしても、爪部５４の係止部分５４Ａと抜け止め部材７１Ｔの係合により、ファスナー５３は受け部７０から抜け出ることを防げるので、冷気防止板５０の取付け状態の保持を確実に行える。この第１クリスパカバー部材５１の前端部５１Ａの幅寸法は、図２に示す野菜室７の前面開口部の開口幅とほぼ同じであるが、このように第１クリスパカバー部材５１の前端部５１Ａの幅寸法が大きくても、第１クリスパカバー部材５１は２つのファスナー５３と、２つの爪部５４を用いて確実に固定することができる。
【００６２】
このように、第２カバー部材５２を野菜室７の背面ＢＫに取り付けた後、第１カバー部材５１と第２カバー部材５２の連結部分６０は、野菜室７の背面ＢＫ側に押し付けて変形させながら、第１カバー部材５１を野菜室７の天井面ＣＬに取り付けることができるので、冷却防止板５０の取り付け作業を簡素化することができる。
【００６３】
図４に示す第１クリスパカバー部材５１は、野菜室７の天井面ＣＬに対して、２つのファスナー５３と２つの爪部５４を用いて、はめ込むだけで、ワンタッチで簡単にしかも確実に固定することができる。第１クリスパカバー部材５１は、野菜室７の天井面ＣＬに取り付けられると、図４に示す第１クリスパカバー部材５１のシール材６１とコーナーシール材５１Ｓが野菜室７の天井面ＣＬに対して密着され、しかも左右のパッキン６３，６３が、野菜室７の側面部ＳＤに対して弾性変形することで密着される。これにより、第１クリスパカバー部材５１と天井面ＣＬと野菜室７の側面部ＳＤとの間で気密性が確保できる。
【００６４】
図７に示すように、冷気防止板５０が野菜室７の天井面ＣＬと背面ＢＫに対応して取り付けられると、図２に示す冷蔵室５から流れてくる冷気は、矢印Ｆで示すように冷気防止板５０の連結部分６０の背面側と、第２クリスパカバー部材５２の背面側を通過して、送風機カバー１４を通り、図２に示す冷蔵用冷却器１１に戻される。これにより、第１クリスパカバー部材５１と第２クリスパカバー部材５２は、野菜室７の引出し式の下部ケース７Ｆと上部ケース７Ｇ内への冷気の侵入を遮断することができる。
【００６５】
以上説明したように、冷気防止板５０の第１クリスパカバー部材５１と第２クリスパカバー部材５２は、野菜室７の外で予め連結して組み立てることで一体物にしてから、この組立が終わった冷気防止板５０を、野菜室７内に入れて天井面ＣＬと背面ＢＫ側に組み付けることができる。これにより、組立作業者による冷気防止板５０の取り付け作業性を向上でき、冷気防止板５０による気密性を高めることができる。
【００６６】
冷気防止板５０の第１クリスパカバー部材５１は、野菜室７の天井面ＣＬに取り付けられるとともに、冷気防止板５０の第２クリスパカバー部材５２は、野菜室７の背面ＢＫに取り付けられることで、図２に示す野菜室７では、冷気が、矢印Ｆで示すように、野菜室７の背面ＢＫの上部にある冷気の流入口２８から第２クリスパカバー部材５２の背面を通るので、引出し式の下部ケース７Ｆと上部ケース７Ｇ内へ侵入するのを防止するとともに、この冷気により下部ケース７Ｆと上部ケース７Ｇ内を間接的に冷却することができる。
【００６７】
ところで、冷気防止板５０の第１クリスパカバー部材５１と第２クリスパカバー部材５２は、別部材であるので、第１クリスパカバー部材５１と第２クリスパカバー部材５２は、必要に応じて異なる色に設定することができる。
【００６８】
例えば使用者が、図２に示す引出し式の下部ケース７Ｆと上部ケース７Ｇを野菜室７内から引き出して野菜室７内の掃除をする場合には、第２クリスパカバー部材５２と図３に示す送風機カバー１４は、使用者から直接見える位置にある。冷気防止板５０は、第１クリスパカバー部材５１と第２クリスパカバー部材５２を連結することで構成できるので、第２クリスパカバー部材５２と送風機カバー１４は、例えば同じ青色の部材にすることができる。これにより、野菜室７内における第２クリスパカバー部材５２の色と送風機カバー１４の色を統一化することができるので、外観意匠的に見栄えが良好になる。
【００６９】
本発明の実施形態の冷蔵庫１では、野菜室７の前面開口部を開閉する扉とともに容器７Ｆ、７Ｇを野菜室７から引出し可能になっており、容器７Ｆ、７Ｇ内に冷気が侵入するのを防止する冷気防止板５０が、野菜室７の天井面ＣＬと野菜室７の背面ＢＫに配置されていることで冷気により野菜室７の容器７Ｆ、７Ｇ内を間接的に冷却する。この冷気防止板５０は、野菜室７の天井面ＣＬに配置される第１カバー部材（第１クリスパカバー部材）５１と、第１カバー部材５１とは別部材であり第１カバー部材５１に対して予め連結されており野菜室７の背面ＢＫに配置される第２カバー部材（第２クリスパカバー部材）５２により構成されている。これにより、組立作業者は、予め組み立てておいた冷気防止板５０を野菜室７の天井面ＣＬと背面ＢＫに対して容易に取り付けることができ、冷気防止板５０の取り付け作業を簡素化することができる。
【００７０】
第１カバー部材５１と第２カバー部材５２の連結部分６０の間には、シール材６２が配置されている。これにより、シール材６２は、第１カバー部材５１と第２カバー部材５２の連結部分６０の気密性を確保できるので、冷気防止板５０が第１カバー部材５１と第２カバー部材５２を予め連結することで構成されているにもかかわらず、冷気が冷気防止板５０の連結部分６０から野菜室７の容器７Ｆ、７Ｇ内に侵入することを防止できる。
【００７１】
第１カバー部材５１は連結突起部５５を有し、第２カバー部材５２は、第１カバー部材５１の連結突起部５５を差し込むことで第１カバー部材５１と第２カバー部材５２を連結するための差し込み穴部６６を有する。これにより、第１カバー部材５１と第２カバー部材５２の連結部分６０は、連結突起部５５を差し込み穴部６６に差し込むだけで、遊びを持たせて連結できる。このため、第２カバー部材５２を野菜室７の背面ＢＫに取り付けた後、第１カバー部材５１と第２カバー部材５２の連結部分６０は、野菜室７の背面ＢＫ側に押し付けて変形させながら、第１カバー部材５１を野菜室７の天井面ＣＬに取り付けることができ、冷却防止板５０の取り付け作業を簡素化することができる。
【００７２】
第１カバー部材５１は、第１カバー部材５１の前端部５１Ａに配置されて野菜室の天井面に密着されるシール材６１を有し、第１カバー部材５１の左右の端部には、第１カバー部材５１の左右の端部と野菜室の側面部との間を塞ぐパッキン材６３を有している。これにより、シール材６１とパッキン材６３は、第１カバー部材５１と野菜室７の天井面ＣＬとの間の気密性を保持できるので、第１カバー部材５１は、野菜室７の容器７Ｆ、７Ｇ内への冷気の侵入を防止することができる。
【００７３】
野菜室７の背面ＣＬには送風機を覆う送風機カバー１４が配置され、第２カバー部材５２の下端部には、送風機カバー１４に取り付ける爪部５５が設けられ、第１カバー部材５１の前端部には、野菜室７の天井面ＣＬにはめ込んで固定するための固定部材（５３，５４）が設けられている。これにより、第２カバー部材５２の下端部の爪部５５を送風機カバー１４に載せて取り付けた後、第１カバー部材５１の前端部の固定部材（５３，５４）を野菜室７の天井面ＣＬに押し込めばよい。したがって、冷気防止部材５０は、ネジなどを用いずに野菜室７内に簡単に取り付けることができる。
【００７４】
第２カバー部材の色は、野菜室の背面に配置された送風機カバーの色に合わせている。これにより、野菜室７から容器７Ｆ、７Ｇを取り出した際に、使用者が直接見える野菜室７の背面ＢＫの色を統一化することができるので、意匠的に見栄えが良好になる。
【００７５】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７６】
また、図１に示す冷蔵庫１の構造は、一例であり、任意の構造を採用することができる。
【００７７】
図示した本発明の実施形態では、野菜室には、超音波振動により水分のミストを生成して送ることで、野菜室の湿度を高く保つようにしても良い。なお、第１クリスパカバー部材５１と第２クリスパカバー部材５２は、連結部分で弾性変形して折れ曲がるようにすれば、１部品として成形して作っても良い。
【符号の説明】
【００７８】
１      冷蔵庫
２      本体
３      観音扉
４      観音扉
５      冷蔵室
７      野菜室
７Ｆ    野菜室の容器
７Ｇ    野菜室の容器
１４    送風機カバー
５０    冷気防止板
５１    第１クリスパカバー部材（第１カバー部材）
５２    第２クリスパカバー部材（第２カバー部材）
５３    ファスナー（固定部材）
５４    爪部（固定部材）
５５    連結突起部
６０    連結部分
６１    シール材
６２    シール材
６３    パッキン材
６６    差し込み穴部
ＣＬ    天井面
ＢＫ    背面
ＰＳ    冷蔵貯蔵空間
ＲＳ    冷凍貯蔵空間
【図１】
2014074552.tif 000003
【図２】
2014074552.tif 000004
【図３】
2014074552.tif 000005
【図４】
2014074552.tif 000006
【図５】
2014074552.tif 000007
【図６】
2014074552.tif 000008
【図７】
2014074552.tif 000009
【図８】
2014074552.tif 000010
【図９】
2014074552.tif 000011
【図１０】
2014074552.tif 000012
【図１１】
2014074552.tif 000013
【図１２】
2014074552.tif 000014
【図１３】
2014074552.tif 000015
【図１４】
2014074552.tif 000016